【手続補正書】
【提出日】平成27年8月27日(2015.8.27)
【手続補正１】
【補正対象書類名】特許請求の範囲
【補正対象項目名】全文
【補正方法】変更
【補正の内容】
【特許請求の範囲】
【請求項１】
撮像装置と通信する通信手段と、
第１の時間間隔で位置情報を取得する取得手段と、
前記取得手段により前記第１の時間間隔で取得される位置情報のうち、前記第１の時間間隔よりも長い間隔である第２の時間間隔に対応する位置情報を一つのファイルに記録する記録制御手段と、を有し、
前記撮像装置に撮像させるための撮像指示があった場合、前記記録制御手段は、前記取得手段により前記第１の時間間隔で取得される位置情報のうち、前記撮像指示があったタイミングに対応する位置情報を、該位置情報が前記第２の時間間隔に対応しているか否かに関わらず、前記ファイルに記録するよう制御することを特徴とする記録装置。
【請求項２】
前記撮像装置の操作手段から前記撮像指示を受け付けることに応じて、前記記録制御手段は、前記取得手段により前記第１の時間間隔で取得される位置情報のうち、前記撮像指示があったタイミングに対応する位置情報を、該位置情報が前記第２の時間間隔に対応しているか否かに関わらず、前記ファイルに記録するよう制御することを特徴とする請求項１に記載の記録装置。
【請求項３】
前記通信手段は更に外部装置と通信を行い、
前記通信手段を介して前記外部装置から前記撮像指示を受信することに応じて、前記記録制御手段は、前記取得手段により前記第１の時間間隔で取得される位置情報のうち、前記撮像指示があったタイミングに対応する位置情報を、該位置情報が前記第２の時間間隔に対応しているか否かに関わらず、前記ファイルに記録するよう制御することを特徴とする請求項１または２に記載の記録装置。
【請求項４】
前記通信手段は、前記撮像装置による撮像に応じて前記撮像装置から送信される所定の指示を受信し、
前記記録制御手段は、前記取得手段により前記第１の時間間隔で取得される位置情報のうち、前記所定の指示が受信されたタイミングに対応する位置情報を、該位置情報が前記第２の時間間隔に対応しているか否かに関わらず、前記ファイルに記録するよう制御することを特徴とする請求項１に記載の記録装置。
【請求項５】
前記撮像装置はユーザ操作を受け付ける操作手段を有し、
前記撮像装置は前記操作手段から前記撮像指示を受け付けたことに応じて、前記所定の指示を前記通信手段に送信することを特徴とする請求項４に記載の記録装置。
【請求項６】
前記撮像装置は外部装置から前記撮像指示を受け付けたことに応じて、前記所定の指示を前記通信手段に送信することを特徴とする請求項４に記載の記録装置。
【請求項７】
前記記録制御手段は、前記所定の指示に含まれる前記撮像装置の識別情報とともに位置情報を前記ファイルに記録することを特徴とする請求項４乃至６のいずれか１項に記載の記録装置。
【請求項８】
前記記録制御手段により記録される位置情報は、前記第１の時間間隔で取得される位置情報のうち、前記撮像指示があった直後に取得された位置情報であることを特徴とする請求項１乃至７のいずれか１項に記載の記録装置。
【請求項９】
前記記録制御手段は、前記取得手段により前記第１の時間間隔で取得される位置情報のうち前記撮像指示があったタイミングに対応する位置情報を、前記第２の時間間隔に対応して記録する前記位置情報と区別して前記ファイルに記録することを特徴とする請求項１乃至８のいずれか１項に記載の記録装置。
【請求項１０】
撮像装置と通信する通信手段と、
第１の時間間隔で位置情報を取得する取得手段と、
前記取得手段により取得される位置情報のうち、前記第１の時間間隔よりも長い間隔である所定の時間間隔に対応する位置情報を一つのファイルに記録する記録制御手段と、を有し、
前記撮像装置に撮像させるための撮像指示があった場合、前記記録制御手段は、前記取得手段により取得される位置情報のうち、前記撮像指示があったタイミングに対応する位置情報を、該位置情報が前記所定の時間間隔に対応しているか否かに関わらず、前記ファイルに記録するよう制御することを特徴とする記録装置。
【請求項１１】
前記記録制御手段は、前記取得手段により前記第１の時間間隔で取得される位置情報のうち前記撮像指示があったタイミングに対応する位置情報を、前記所定の時間間隔に対応して記録する前記位置情報と区別して前記ファイルに記録することを特徴とする請求項１０に記載の記録装置。
【請求項１２】
通信手段と、
第１の時間間隔で位置情報を取得する取得手段と、
前記取得手段により取得される位置情報のうち、前記第１の時間間隔よりも長い間隔である所定の時間間隔に対応する位置情報を、記録媒体に記録する記録制御手段と、を有し、
前記通信手段を介して撮像装置に撮像させるための撮像指示があった場合、前記記録制御手段は、前記取得手段により取得される位置情報のうち、前記撮像指示があったタイミングに対応する位置情報を、該位置情報が前記所定の時間間隔に対応しているか否かに関わらず、前記記録媒体に記録するよう制御し、
前記通信手段を介して外部装置から所定の指示があった場合、前記記録制御手段は、前記取得手段により前記第１の時間間隔で取得される位置情報のうち、前記撮像指示があったタイミングに対応する位置情報を、前記位置情報が前記所定の時間間隔に対応しているか否かに関わらず、前記記録媒体に記録するよう制御することを特徴とする記録装置。
【請求項１３】
前記記録装置は、前記外部装置から無線通信を介して前記所定の指示を受信することを特徴とする請求項１２に記載の記録装置。
【請求項１４】
前記通信手段は、前記撮像装置のアクセサリシューを介して前記撮像装置と通信することを特徴とする請求項１２または１３に記載の記録装置。
【請求項１５】
前記通信手段は、前記撮像装置とUSBケーブルを介して通信することを特徴とする請求項１２に記載の記録装置。
【請求項１６】
被写体を撮像して画像データを生成する撮像手段と、
第１の時間間隔で取得される位置情報のうち、前記第１の時間間隔よりも長い間隔である第２の時間間隔に対応する位置情報を一つのファイルに記録する記録装置と通信する通信手段と、を有し、
前記撮像手段に撮像させるための撮像指示があった場合、前記通信手段は、前記記録装置に、前記第１の時間間隔で取得される位置情報を、該位置情報が前記第２の時間間隔に対応する位置情報か否かにかかわらず、前記ファイルに記録させるための記録指示を、前記記録装置に送信することを特徴とする撮像装置。
【請求項１７】
前記記録装置から前記第１の時間間隔で取得される位置情報を、前記通信手段を介して受信し、前記撮像手段により画像データが作成されるとき、前記位置情報を該画像データに関連付けて記録媒体に記録する記録制御手段をさらに有する請求項１６に記載の撮像装置。
【請求項１８】
前記通信手段は、外部装置から前記撮像指示を受信し、前記撮像指示を受信することに応じて、前記記録装置に前記記録指示を送信することを特徴とする請求項１６または１７に記載の撮像装置。
【請求項１９】
ユーザ操作を受け付ける操作手段をさらに有し、
前記通信手段は、前記操作手段により前記撮像指示をユーザから受け付けたことに応じて、前記記録装置に前記記録指示を送信することを特徴とする請求項１６乃至１８のいずれか１項に記載の撮像装置。
【請求項２０】
前記通信手段は、前記操作手段により前記撮像指示をユーザから受け付けたことに応じて、前記記録装置に前記撮像指示を送信することを特徴とする請求項１９に記載の撮像装置。
【請求項２１】
撮像装置との通信手段を備えた記録装置が位置情報を記録する方法であって、
前記記録装置が、
第１の時間間隔で位置情報を取得する工程と、
前記第１の時間間隔で取得される位置情報のうち、前記第１の時間間隔よりも長い間隔である第２の時間間隔に対応する位置情報を記録する工程と、を有し、
前記通信手段を介して前記撮像装置から撮像指示があると、前記第１の時間間隔で取得される位置情報のうち、前記撮像指示があったタイミングに対応する位置情報を、該位置情報が前記第２の時間間隔に対応しているか否かに関わらず記録することを特徴とする方法。
【請求項２２】
撮像装置との通信手段を備えた記録装置が位置情報を記録する方法であって、
前記記録装置が、
第１の時間間隔で位置情報を取得する工程と、
前記取得された位置情報のうち、前記第１の時間間隔よりも長い間隔である所定の時間間隔に対応する位置情報を記録する工程と、を有し、
前記通信手段を介して前記撮像装置から撮像指示があると、前記取得された位置情報のうち、前記撮像指示があったタイミングに対応する位置情報を、該位置情報が前記所定の時間間隔に対応しているか否かに関わらず記録することを特徴とする方法。
【請求項２３】
撮像装置との通信手段を備えた記録装置が位置情報を記録する方法であって、
前記記録装置が、
第１の時間間隔で位置情報を取得する工程と、
前記取得された位置情報のうち、前記第１の時間間隔よりも長い間隔である所定の時間間隔に対応する位置情報を記録媒体に記録する工程と、を有し、
前記撮像装置から撮像指示があると、前記取得された位置情報のうち、前記撮像指示があったタイミングに対応する位置情報を、該位置情報が前記所定の時間間隔に対応しているか否かに関わらず前記記録媒体に記録し、
外部装置から所定の指示を受信すると、前記第１の時間間隔で取得された位置情報のうち、前記撮像指示があったタイミングに対応する位置情報を、前記位置情報が前記所定の時間間隔に対応しているか否かに関わらず前記記録媒体に記録することを特徴とする方法。
【請求項２４】
撮像装置が、第１の時間間隔で取得する位置情報のうち、前記第１の時間間隔よりも長い間隔である第２の時間間隔に対応する位置情報を一つのファイルに記録する記録装置に位置情報を記録するための記録指示を送信する方法であって、
撮像指示に応じて撮像する工程と、
前記撮像指示があると、前記記録装置に、前記第１の時間間隔で取得される位置情報を、前記位置情報が前記第２の時間間隔に対応するか否かに関わらず記録させるための記録指示を送信する工程と、を備える方法。
【請求項２５】
コンピュータを、請求項１乃至１５のいずれか１項に記載の記録装置の各手段として機能させるためのプログラム。
【手続補正２】
【補正対象書類名】明細書
【補正対象項目名】０００１
【補正方法】変更
【補正の内容】
【０００１】
本発明は位置情報を取得して記録する記録装置、撮像装置及びその方法に関する。
【手続補正３】
【補正対象書類名】明細書
【補正対象項目名】０００６
【補正方法】変更
【補正の内容】
【０００６】
本発明は、上記の課題に鑑みてなされたものであり、予め定められた一定のロギング間隔で測定した位置情報を記録することに加え、外部装置からの要求によってロギング間隔に関係なく位置情報を記録可能な記録装置を提供することを目的とする。
【手続補正４】
【補正対象書類名】明細書
【補正対象項目名】０００７
【補正方法】変更
【補正の内容】
【０００７】
また、本発明は、このような記録装置と接続される撮像装置及びその方法の提供を別の目的とする。
【手続補正５】
【補正対象書類名】明細書
【補正対象項目名】０００８
【補正方法】変更
【補正の内容】
【０００８】
上述した課題を達成するため、本発明の記録装置は、撮像装置と通信する通信手段と、第１の時間間隔で位置情報を取得する取得手段と、前記取得手段により前記第１の時間間隔で取得される位置情報のうち、前記第１の時間間隔よりも長い間隔である第２の時間間隔に対応する位置情報を一つのファイルに記録する記録制御手段と、を有し、前記撮像装置に撮像させるための撮像指示があった場合、前記記録制御手段は、前記取得手段により前記第１の時間間隔で取得される位置情報のうち、前記撮像指示があったタイミングに対応する位置情報を、該位置情報が前記第２の時間間隔に対応しているか否かに関わらず、前記ファイルに記録するよう制御することを特徴とする。
【手続補正６】
【補正対象書類名】明細書
【補正対象項目名】発明の名称
【補正方法】変更
【補正の内容】
【発明の名称】記録装置、撮像装置及びその方法